(57)【特許請求の範囲】
【請求項１】
原稿の画像を読み取る読取手段を有する読取ユニットと、
搬送される原稿を排出側に案内する排出側ガイド部材を有し、前記読取ユニットに開閉自在な搬送ユニットと、
前記搬送ユニットに着脱可能に設けられ、前記排出側ガイド部材へ原稿を案内する透明なシート部材と、を備え、
前記排出側ガイド部材を前記搬送ユニットに着脱可能とし、
前記排出側ガイド部材が装着された後に前記シート部材が装着されるのを防止する防止手段を備える
ことを特徴とする画像読取装置。
【請求項２】
前記防止手段は、前記シート部材が前記排出側ガイド部材よりも先に取り外されることを防止することを特徴とする請求項１に記載の画像読取装置。
【請求項３】
前記シート部材の原稿搬送方向の下流側の部分が、前記排出側ガイド部材の一部と、前記排出側ガイド部材の一部が前記読取ユニットの側となるように、搬送方向においてオーバーラップした状態で、搬送される原稿を前記シート部材は前記排出側ガイド部材へ案内することを特徴とする請求項１または２に記載の画像読取装置。
【請求項４】
前記読取ユニットに設けられ静止原稿が載置される前記プラテンガラスと、
前記搬送ユニットに設けられ、静止原稿を前記プラテンガラスに密着させる白地板と、を備え、
前記白地板と前記排出側ガイド部材とが一体に形成されたことを特徴とする請求項１乃至３のいずれかに記載の画像読取装置。
【請求項５】
原稿の画像を読み取る読取手段を有する読取ユニットと、
搬送される原稿を排出側に案内する排出側ガイド部材を有し、前記読取ユニットに開閉自在な搬送ユニットと、
前記搬送ユニットに着脱可能に設けられ、前記排出側ガイド部材へ搬送される原稿を案内する透明なシート部材と、を備え、
前記排出側ガイド部材は前記搬送ユニットに着脱自在であって、
前記排出側ガイド部材よりも先に前記シート部材が取り外されることを防止する手段を有することを特徴とする画像読取装置。
【発明の詳細な説明】
【技術分野】
【０００１】
本発明は、ファクシミリや複写機等の画像形成装置に用いられ、静止原稿及び搬送原稿を読取ることのできるスキャナ等の画像読取装置に関する。
【背景技術】
【０００２】
従来、この種の画像読取装置は、搬送原稿及び静止原稿を読み取る密着型イメージセンサ及びプラテンガラスを有する読取ユニットと、この読取ユニットに開閉可能に装着された圧板ユニットとから構成されている。
【０００３】
読取ユニットには、搬送原稿の読取領域と静止原稿の読取領域とが個別に設けられている。搬送原稿の読取領域には、搬送原稿の搬送を案内する透明のシート部材が設けられ、搬送原稿の搬送経路が形成されている。
【０００４】
搬送原稿は、搬送原稿を搬送ユニットにより原稿パスに沿って搬送しながら読み取られる。また、静止原稿を読み取る場合は、静止原稿をプラテンガラス上に載置した状態で、読取ユニットを所定方向に走査しながら読み取られる（特許文献１参照）。
【０００５】
また、搬送される原稿を案内する透明弾性部材（透明なシート材）を設け、原稿の画像を透明弾性部材を介して読み取るものがある（特許文献２参照）。
【０００６】
【特許文献１】特開２００３−４６７２２号公報
【特許文献２】特開昭６３−１８０６５０号公報
【発明の開示】
【発明が解決しようとする課題】
【０００７】
透明なシート材における原稿を接する面は汚れる恐れがある。また透明なシート材に傷などがついた場合には交換する必要がある。透明なシート材の清掃や交換のためは、透明なシート材を着脱自在とすることが必要となる。ここで、清掃等のためにユーザが透明なシート材を取り外した後に、再度、透明なシート材を装置に装着する際には、透明なシート材の端部を、読取位置の下流側のガイド部材間に入れ込む作業が発生する。透明なシート材の端部を、読取位置の下流側のガイド部材間に入れ込む作業をユーザが忘れると、原稿を搬送するときに原稿のジャムが発生してしまうことが考えられる。
【０００８】
本発明の目的は、着脱自在な透明なシート材の端部をガイド板間に入れ込む作業をし忘れて、ジャムしてしまうことを防ぐことである。
【課題を解決するための手段】
【０００９】
前記目的を達成するため、本発明に係る代表的な構成は、原稿の画像を読み取る読取手段を有する読取ユニットと、搬送される原稿を排出側に案内する排出側ガイド部材を有し、前記読取ユニットに開閉自在な搬送ユニットと、前記搬送ユニットに着脱可能に設けられ、前記排出側ガイド部材へ原稿を案内する透明なシート部材と、を備え、前記排出側ガイド部材を前記搬送ユニットに着脱可能とし、前記排出側ガイド部材が装着された後に前記シート部材が装着されるのを防止する防止手段を備えることを特徴とする。
【００１０】
また、原稿の画像を読み取る読取手段を有する読取ユニットと、搬送される原稿を排出側に案内する排出側ガイド部材を有し、前記読取ユニットに開閉自在な搬送ユニットと、前記搬送ユニットに着脱可能に設けられ、前記排出側ガイド部材へ搬送される原稿を案内する透明なシート部材と、を備え、前記排出側ガイド部材は前記搬送ユニットに着脱自在であって、前記排出側ガイド部材よりも先に前記シート部材が取り外されることを防止する手段を有することを特徴とする。
【発明の効果】
【００１１】
本発明によれば、着脱自在である透明なシート材の端部をガイド板間に入れ込む作業をし忘れることに起因したジャムの発生を防止することができる。
【発明を実施するための最良の形態】
【００１２】
以下、本発明の実施の形態を図面に基づいて詳細に説明する。なお、図１は、画像読取装置の上方斜視図であり、図２は、図１の画像読取装置の圧板ユニットを開いた状態の上方斜視図である。また、図３は、図１の主要断面図である。
【００１３】
（実施形態１）
図１乃至図３に示す画像読取装置において、圧板ユニット１の下面には、静止画像原稿読取時に静止原稿Ｄ２を、読取ユニット９９９の上面に設けられたプラテンガラス６に密着するため、白地板２が取り付けられている。また、この圧板ユニット１は、ヒンジ３を回転中心として開閉自在なように読取ユニット９９９に回動可能に設けられている。
【００１４】
５は、搬送原稿読取部であり、この搬送原稿読取部５は、略Ｕ字状の原稿搬送路（以下、Ｕターンパスという）７を有している。そして、このＵターンパス７には、分離ローラ８及び分離パット９と、分離ローラ８に当接している予備搬送部材10とが取り付けられている。
【００１５】
また、Ｕターンパス７には、搬送原稿Ｄ１の有無を検出する原稿有無センサ11と、搬送原稿Ｄ１を搬送及び排出する搬送ローラ13及び排出ローラ対14とが取り付けられている。さらに、搬送原稿Ｄ１の先端部及び後端部を検出する原稿エッジセンサ15が取り付けられた構成になっている。
【００１６】
読取手段としての密着型イメージセンサ16は、読取ユニット９９９内に設けられている。密着型イメージセンサ１６は。光源としてのＬＥＤアレイから搬送原稿Ｄ１の画像情報面に光を照射し、画像情報面で反射した反射光をセルフォックレンズ（商標）でセンサ素子に結像して画像情報を読取るものである。
【００１７】
搬送原稿読取部５においては、操作者が搬送原稿Ｄ１を原稿トレイ４に載置するとき、搬送原稿Ｄ１の読取画像面を上側にして装置の手前側からセットされるようになっている。このとき、原稿有無センサ11により搬送原稿Ｄ１が有ることが検知される。
【００１８】
操作者が操作部12から読取開始を指示すると、不図示の駆動部が回転し、予備搬送部材10によって、搬送原稿Ｄ１が分離ローラ８と分離パット９の分離部まで搬送され、搬送原稿Ｄ１が１枚ずつに分離され、最上位の搬送原稿Ｄ１が分離搬送される。また、分離された搬送原稿Ｄ１が搬送ローラ13によって、Ｕターンパス７に沿って搬送され、さらに密着型イメージセンサ16の読取部へ搬送される。
【００１９】
原稿搬送部では、原稿エッジセンサ15により搬送原稿Ｄ１の先端部が検知されると、その位置から所定量搬送されたところで、密着型イメージセンサ16による画像情報の読取りが開始される。
【００２０】
ここで、図４は、搬送原稿読取部５のＸ部拡大図である。密着型イメージセンサ16の上方部には、搬送原稿Ｄ１をプラテンガラス６へ押圧するための押圧手段20が設けられている。
【００２１】
また、押圧手段20とプラテンガラス６との間には、プラテンガラス６から排出側ガイド部材19へ搬送原稿Ｄ１を受け渡すための透明なシート部材18が設けられている。そのため、搬送原稿Ｄ１の画像は、プラテンガラス６とシート部材18とを介して読み取られる。
【００２２】
読取開始後、搬送原稿Ｄ１は排出ローラ対14に向かう。そして、原稿エッジセンサ15により搬送原稿Ｄ１の後端部が検知されると、その位置から所定量搬送されたところで、密着型イメージセンサ16による画像情報の読取りを終了する。そして、搬送原稿Ｄ１は、排出ローラ対14によって装置外へ排出される。このようにして、搬送原稿読取部５では、原稿有無センサ11が原稿無しを検知するまで上述した読取動作が繰り返される。
【００２３】
この場合、シート部材18、これを保持している保持部材17及び排出側ガイド部材19は、原稿を搬送する搬送ユニット１である圧板ユニット１に設けられている。よって、プラテンガラス６上に搬送原稿Ｄ１の搬送パスを形成するための部材を設ける必要がなく、圧板ユニット１内で搬送原稿Ｄ１のパスが完了する。
【００２４】
これにより、静止原稿Ｄ２は、図２及び図３に示すように、スキャナカバー22の端面22ａに突き当てて読取を行うことが可能となる。つまり、静止原稿Ｄ２の読取範囲内に、搬送原稿Ｄ１の読取位置を設けることができるので、読取ユニットの幅が大幅に縮小され、画像読取装置が小型化される。
【００２５】
また、シート部材18は、圧板ユニット１の圧板ベース23に着脱可能に設けられ、シート部材18や搬送原稿Ｄ１の読取位置にホコリやゴミ等が付着した場合に、その清掃が可能になっている。
【００２６】
ここで、シート部材18及び保持部材17は、図４に示すように、搬送原稿Ｄ１を排出側ガイド部材19に案内するために、その先端が排出側ガイド部材19の上面19ａ上に構成されている。つまり、シート部材１８の原稿搬送方向の下流側の部分が、排出側ガイド部材１９の一部と、排出側ガイド部材１９の一部が読取ユニット９９９側となるように、搬送方向においてオーバーラップしている。このような状態で、搬送される原稿をシート部材１９が排出側ガイド部材１９へと案内する。
【００２７】
そのため、シート部材18を圧板ベース23から取り外して再度取り付けるときに、シート部材18を排出側ガイド部材19の上面19ａ上に差し込まなければならないという煩わしい操作が生じてしまう。
【００２８】
また、この差込み操作をユーザが忘れて、シート部材18の先端が排出側ガイド部材19の下面19ｄにあると、搬送原稿Ｄ１のシート部材18による上面19ａへの受け渡しが行われないため、ジャムが発生してしまう。
【００２９】
そこで、本実施形態の画像読取装置では、上述のような問題を回避するために、排出側ガイド部材19も圧板ベース23から着脱可能に構成している。
【００３０】
図５は、透明なシート部材18及び保持部材17と下流側ガイド部材19を圧板ベース23から取り外したときの図である。保持部材17にはロック爪17ａ、17ｂが形成されており、圧板ベース23に設けられたロック穴23ａ、23ｂにそれぞれ係止され、保持部材17は圧板ベース23に装着できるようになっている。
【００３１】
また、排出側ガイド部材19にはロック爪19ａ、19ｂが形成されており、圧板ベース23に設けられたロック穴23ｃ、23ｄにそれぞれ係止され、排出側ガイド部材19は圧板ベース23に装着できるようになっている。
【００３２】
保持部材17（シート部材18）を圧板ベース23から取り外す場合には、まず、排出側ガイド部材19を係止するロック爪19ａ、19ｂのロックを外して、排出側ガイド部材１９を原稿を案内するための位置から移動させるべく排出側ガイド部材１９を取り外す。その後、保持部材17のロック爪17ａ、17ｂを把持してロックを解除し、保持部材１７（シート部材１９）を圧板ユニット１から取り外す。
シート部材18を圧板ベース23に装着する場合には、まず、保持部材17のロック爪17ａ、17ｂでロックするように、保持部材１７（シート部材１９）を圧板ユニット１に装着する。その後、排出側ガイド部材19がロック爪19ａ、19ｂによってロックされるように、排出側ガイド部材１９を圧板ユニット１に装着する。
【００３３】
ここで、排出側ガイド部材19にはそれよりも先に、保持部材17が取り外せないようにするために、保持部材17のための取り外し防止部19ｃが設けられている。この取り外し防止部１９ｃは、排出側ガイド部材１９を装置に取り付けた状態では、保持部材１７の一部である保持部材１７のロック爪17ａ、17ｂや、ロック爪17ａ、17ｂを係止するロック穴23ａ、23ｂを覆っている。したがって、取り外し防止部１９ｃや、取り外し防止部１９ｃで覆われる保持部材１９の一部で構成される手段によって、排出側ガイド部材１９より先に保持部材17（シート部材１８）が、圧板ユニット１から取り外されることが防止されている。
【００３４】
さらに、シート部材１８が取り外され且つ排出側ガイド部材19が取り付けられた状態から、シート部材１８が装置に装着されることが防止手段によって防がれている。この防止手段は、本実施形態においては、取り外し防止部１９ｃ及び、取り外し防止部１９ｃで覆われる保持部材１９の一部やロック穴23ａ、23ｂによって構成される。つまり、シート部材１８が取り外され排出側ガイド部材19が取り付られた状態では、取り外し防止部１９ｃが、保持部材１７を係止するロック穴23ａ、23ｂを覆うように構成してあるために、取り外し防止部１９ｃが支持部材１７の装着を妨げる。よって、排出側ガイド部材１９が装着された後に保持部材１７（シート部材１８）が装着されることが防止手段によって防止されている。このように装置への取付順序が防止手段によって規定されている。
【００３５】
この取り外し防止部19ｃにより、排出側ガイド部材19は、保持部材17より後に取り付けなければならないため、シート部材18を、排出側ガイド部材19に差し込むといった動作をなくすことができる。また、搬送原稿Ｄ１のジャム問題も未然に回避することが可能となる。
【００３６】
また、シート部材18に傷や折れが生じた場合は、シート部材18を保持部材17から外し、交換することもできる。
【００３７】
（実施形態２）
図６、図７を用いて、他の実施の形態について説明する。白地板24は、実施形態１の白地板２と排出側ガイド部材19を一体に形成したものである。白地板24の部位24ａに設けられたボス部24ｃが圧板ベース23のボス穴に差し込まれ（対向部24ｂも同様の構成）、白地板24が圧板ベース23に回動可能に取り付けられている。
【００３８】
ここで、図７は、白地板24の把持部24ｄを持って、白地板24を開放したときの説明図である。白地板24にはロック爪24ｅ、24ｆが形成され、これらロック爪24ｅ、24ｆが圧板ベース23に設けられたロック穴23ｅ、23ｆにそれぞれ係止されることで、排出側ガイド部材１９を含む白地板24が圧板ベース23に装着できるようになっている。
【００３９】
また、白地板24には、取り外し防止部24ｇが設けられており、操作性向上と搬送原稿Ｄ１のジャム防止を実現している。
【図面の簡単な説明】
【００４０】
【図１】本発明の一実施の形態である画像読取装置の上方斜視図である。
【図２】図１の画像読取装置の圧板ユニットを開いた状態の上方斜視図である。
【図３】図１の主要断面図である。
【図４】図３のＸ部拡大図である。
【図５】図２の画像読取装置の保持部材及び排出側ガイド部材を着脱した際の上方斜視図である。
【図６】本発明の他の実施の形態である画像読取装置の圧板ユニット開いた状態の上方斜視図である。
【図７】図６の画像読取装置の保持部材及び排出側ガイド部材を着脱した際の上方斜視図である。
【符号の説明】
【００４１】
１  圧板ユニット
２、24  白地板
４  原稿トレイ
５  搬送原稿読取部
６  プラテンガラス
８  分離ローラ
９  分離パッド
10  予備搬送部材
13  搬送ローラ
14  排出ローラ対
15  原稿エッジセンサ
16  密着型イメージセンサ
17  保持部材
17ａ、17ｂ  ロック爪
18  シート部材
19  排出側ガイド部材
19ｃ、24ｇ  取り外し防止部
20  押圧手段
22  スキャナカバー
Ｄ１  搬送原稿
Ｄ２  静止原稿
【図１】
0004954029.tif 000002
【図２】
0004954029.tif 000003
【図３】
0004954029.tif 000004
【図４】
0004954029.tif 000005
【図５】
0004954029.tif 000006
【図６】
0004954029.tif 000007
【図７】
0004954029.tif 000008